(57)【要約】  放射ヒータは、床の所定距離上方に配置されると共に、概ね四角形の熱ゾーンを床上の所定温度範囲内、好ましくはおよそ華氏８５度と華氏１００度の間に生じさせるように構成されている。このヒータは、長尺なバーナーアセンブリと、内側円錐部材と、少なくとも１つのエミッタアセンブリと、端板とを備えて、燃焼室を規定する。エミッタアセンブリは、燃焼室内で発生された熱を下方向外向きに床に向けて、概ね四角形の熱ゾーンを形成するように構成されている。キャノピーが設けられて、上方向外側に向かう熱を下方向に戻して床に向けると共にエミッタアセンブリに向ける。バーナー及びエミッタアセンブリの下側にリフレクタパンが配置されて、エミッタアセンブリからの熱を床に向けることを助ける。ブロワーアセンブリをヒータ内に組み込んでもよい。【選択図】  図５
2009528506.tif 000002
【特許請求の範囲】
【請求項１】
床の所定距離上方に配置されるように構成された放射ヒータであって、
長尺なバーナーを有するバーナーアセンブリと、
前記バーナーの概ね上方に配置された内側円錐部材と、
この内側円錐部材との間に燃焼室を規定する少なくとも１つのエミッタアセンブリとを備え、
前記バーナーアセンブリは、煙道ガスを前記燃焼室に導入すると共に火炎を生起するように構成され、この火炎は、熱を発生して前記少なくとも１つのエミッタアセンブリを加熱すると共に前記煙道ガスの少なくとも一部分を燃焼させて前記少なくとも１つのエミッタアセンブリを更に加熱するためのより多くの熱を発生させるものであり、前記少なくとも１つのエミッタアセンブリは、発生された熱の実質的な部分を床に向けるように位置決めされて、概ね四角形の熱ゾーンを床上の所定温度範囲内に生じさせるものであることを特徴とする放射ヒータ。
【請求項２】
前記所定温度範囲は、およそ華氏８５度と華氏１００度の間である請求項１に記載の放射ヒータ。
【請求項３】
前記少なくとも１つのエミッタアセンブリは、複数のエミッタパネルを有し、各前記エミッタパネルは、平面スクリーン部分と、そこから外側に延びた側部分とを持ち、隣接するエミッタパネルの前記スクリーン部分は、相互に平面的であり、前記側部分は、隣接するエミッタパネルの前記側部分と接触するように構成されている請求項１に記載の放射ヒータ。
【請求項４】
各前記スクリーン部分は、複数の貫通孔を有して、発生された熱及び煙道ガスが前記燃焼室から出ることを可能にする請求項３に記載の放射ヒータ。
【請求項５】
各前記エミッタパネルは、ステンレス鋼製である請求項３に記載の放射ヒータ。
【請求項６】
内面及び外面を持つ第１及び第２の端板を更に備え、前記バーナー、前記内側円錐部材及び前記少なくとも１つのエミッタアセンブリは、少なくとも部分的に前記第１及び第２の端板の間を延びると共にそこに固定され、前記第１及び第２の端板の前記内面は、前記燃焼室に対する端部境界を形成して、前記第１及び第２の端板は、発生された熱及び煙道ガスが前記ヒータの端部から流れ出ることを規制する請求項１に記載の放射ヒータ。
【請求項７】
前記第１及び第２の端板の前記外面の少なくとも１つから外側に延びる少なくとも１つのデフレクターを更に備える請求項６に記載の放射ヒータ。
【請求項８】
前記内側円錐部材は、内側円錐空洞を規定し、前記内側円錐部材は、前記内側円錐空洞を前記燃焼室から分離する請求項１に記載の放射ヒータ。
【請求項９】
前記内側円錐空洞内に絶縁体を更に備え、前記燃焼室内で発生された熱は、前記内側円錐部材を加熱し、前記内側円錐空洞内の前記絶縁体は、前記内側円錐部材を加熱する熱を前記少なくとも１つのエミッタアセンブリに向けて反射する請求項８に記載の放射ヒータ。
【請求項１０】
少なくとも部分的に前記内側円錐空洞内に配置されるブロワーアセンブリを更に備える請求項８に記載の放射ヒータ。
【請求項１１】
前記ブロワーアセンブリは、ブロワーと、内側チューブ部材と、外側チューブ部材とを有し、ブロワーは、前記内側円錐空洞外に配置され、内側チューブ部材は、前記ブロワーから延びて前記内側円錐空洞内に配置され、外側チューブ部材は、前記内側円錐空洞内で前記内側チューブ部材の一部分の回りを延び、前記外側チューブ部材は、前記内側チューブ部材の外径よりも大きな内径を持つ請求項１０に記載の放射ヒータ。
【請求項１２】
前記内側円錐部材及び少なくとも１つのエミッタアセンブリの上及び少なくとも部分的にその回りに延びたキャノピーを更に備え、このキャノピーは、発生された熱及び煙道ガスの少なくとも一部分を前記少なくとも１つのエミッタアセンブリに向けて反射して、前記少なくとも１つのエミッタアセンブリを更に加熱する請求項１に記載の放射ヒータ。
【請求項１３】
前記バーナー及び前記少なくとも１つのエミッタアセンブリの下側に配置されたリフレクタパンを更に備え、このリフレクタパンは、発生された熱の実質的な部分を更に床に向けるように位置決めされて、前記概ね四角形の熱ゾーンを生じる請求項１に記載の放射ヒータ。
【請求項１４】
床の所定距離上方に配置されると共に概ね四角形の熱ゾーンを床上の所定温度範囲内に生じるように構成された放射ヒータであって、
内面及び外面を持つ第１及び第２の端板と、
長尺なバーナーを有し、少なくとも部分的に前記第１及び第２の端板の前記内面の間を延びると共に前記第１及び第２の端板の少なくとも１つに固定されたバーナーアセンブリと、
前記バーナーの概ね上方に配置され、前記第１及び第２の端板の前記内面の間を延びると共に前記第１及び第２の端板の少なくとも１つに固定され、前記第１及び第２の端板の前記内面と内側円錐部材は、内側円錐空洞を規定し、
前記第１及び第２の端板の前記内面の間を延びると共に前記第１及び第２の端板の少なくとも１つに固定され、前記内側円錐部材、前記端板及び前記バーナーとの間に燃焼室を規定する少なくとも１つのエミッタアセンブリと、
前記バーナー及び前記少なくとも１つのエミッタアセンブリの下側に配置され、前記第１及び第２の端板の前記内面の間を延びると共に前記第１及び第２の端板の少なくとも１つに固定されたリフレクタパンと、
前記第１及び第２の端板の少なくとも１つに固定され、前記内側円錐部材の上及び前記少なくとも１つのエミッタアセンブリの少なくとも一部分の回りに延びたキャノピーとを備えることを特徴とする放射ヒータ。
【請求項１５】
前記内側円錐部材並びに前記第１及び第２の端板の前記内面を前記内側円錐空洞から分離する絶縁体を更に備える請求項１４に記載の放射ヒータ。
【請求項１６】
ブロワーと、内側チューブと、外側チューブとを有するブロワーアセンブリを更に備え、前記ブロワーは、前記第１の端板に固定されると共に前記第１の端板の前記外面から外側に延び、前記内側チューブ部材は、前記ブロワーに固定されると共に前記内側円錐空洞内で前記第１の端板の前記内面から前記第２の端板の前記内面に向けて延び、前記外側チューブ部材は、前記第２の端板に固定されると共に前記内側円錐空洞内で前記第２の端板の前記内面から前記第１の端板の前記内面に向けて延び、前記内側チューブ部材は、少なくとも部分的に前記外側チューブ部材中に突出し、前記外側チューブ部材は、前記内側チューブ部材の外径よりも大きな内径を持つ請求項１４に記載の放射ヒータ。
【請求項１７】
床の所定距離上方に懸架されるように構成された放射ヒータであって、
この放射ヒータ中にガスを導入すると共に前記ガスの少なくとも一部分に点火して熱を発生するように構成されたバーナーアセンブリと、
前記バーナーによって発生された熱を床に向けるための指向手段であって、概ね四角形の熱ゾーンを床上の所定温度範囲内に生じさせる手法で前記熱を向けるように構成された指向手段と
を備えることを特徴とする放射ヒータ。
【請求項１８】
前記所定温度範囲は、およそ華氏８５度と華氏１００度の間である請求項１７に記載の放射ヒータ。
【請求項１９】
前記指向手段は、エミッタアセンブリ、リフレクタパン及びキャノピーの少なくとも１つを有する請求項１７に記載の放射ヒータ。
【請求項２０】
前記ヒータの回りに位置する空気を移動させるように構成されたブロワーアセンブリを更に備える請求項１７に記載の放射ヒータ。
【発明の詳細な説明】
【技術分野】
【０００１】
この発明は、一般的に農業的応用、例えば家禽ハウス内で使用される赤外線ヒータの分野に関する。
【背景技術】
【０００２】
赤外熱は、主として家禽ハウス４０の環境における強制空気加熱に幅広く適用されている。これは、放射熱が、家禽ハウス４０の壁４７と天井（図示せず）によって囲まれた空気空間全体を加熱する必要なしに、より効果的に直接床４５に対し熱を与えるからである。従来、放射熱は、プロパン又は天然ガス点火型ヒータを利用して、家禽ハウス４０に与えられていた。これらヒータは、
（ａ）その入力の小さな割合を赤外熱として生成するセラミックディスクを使う円形状（一般に“パンケーキ育雛器”５０と呼ばれる）であるか、
（ｂ）円形状の穿孔型エミッタ（一般に“放射育雛器”５５と呼ばれる）であるか、
（ｃ）ＳＢＭインターナショナル社によって製造されるタイプの比較的開かれたデザインの矩形状ヒータ（一般に“セラミック育雛器”６０と呼ばれる）であって、傾斜して配置され、熱を下方向に角度を付けて床４５に向けるヒータであるか、
（ｄ）長管状パイプの形状（一般に“チューブヒータ”６５と呼ばれる）である。
【０００３】
これら異なるタイプの放射ヒータ５０，５５，６０，６５に関連した１つの欠点は、床４５の大きな高温エリア７０と、大きな第１及び第２の低温エリア７５，８０を作る熱パターンの生成である。飼育時間中の家禽ハウス４０内の鳥達は、床４５上の１５度に広がる温度範囲（“快適ゾーン”８５）内で最も良く行動する。快適ゾーン８５は、典型的にはおよそ華氏８５度と１００度の間（８５°〜１００°）である。高温エリア７０は、典型的にはおよそ華氏１００度超のエリアである。第１の低温エリア７５は、典型的にはおよそ華氏８０度と８５度の間（８０°〜８５°）のエリアである。第２の低温エリア８０は、典型的にはおよそ華氏８０度（８０°）未満のエリアである。快適ゾーン８５内で床４５上に与える赤外熱出力の割合が大きいほど、ヒータはより効率的になる。図１は、（左側に図示された）パンケーキ育雛器５０と（右側に図示された）放射育雛器５５に関連した壁４７間の、床４５上の温度の広がりを一般的に描いている。ここで、ヒータ５０，５５は、床４５上方の所定位置に配置されているものと理解されるべきである。図２は、（左側に図示された）セラミック育雛器６０と（右側に図示された）チューブヒータ６５に関連した壁４７間の、床４５上の温度の広がりを一般的に描いている。ここで、ヒータ６０，６５は、床４５上方の所定位置に配置されているものと理解されるべきである。
【０００４】
かくして、家禽ハウス４０の床４５上の高温及び低温エリア７０，７５，８０を低減し、かくして家禽ハウス４０の床４５上の快適ゾーン８５のサイズを増加する家禽ハウス４０用ヒータに対する必要性がある。
【発明の開示】
【発明が解決しようとする課題】
【０００５】
簡単に、そして前述したことに従って、本発明は、床の所定距離上方に配置されると共に概ね四角形の熱ゾーンを床上の所定温度範囲内（好ましくはおよそ華氏８５度と華氏１００度の間）に生じるように構成された放射ヒータを提供する。このヒータは、内面及び外面を持つ第１及び第２の端板を備える。このヒータはまた、少なくとも部分的に第１及び第２の端板の内面の間を延びる長尺なバーナーを有したバーナーアセンブリを備える。内側円錐部材がバーナーの上方に配置されると共に端板間を延びて、内側円錐空洞を規定する。内側円錐空洞内に絶縁体が設けられることがある。エミッタアセンブリが端板の間を延びて、エミッタアセンブリ、内側円錐部材、端板及びバーナーの間に燃焼室が規定される。バーナー及びエミッタアセンブリの下側にリフレクタパンが配置される。キャノピーが端板に固定され、そしてヒータ上及びヒータの一部分の回りに延びる。このヒータはまた、内側円錐空洞を通して延びるブロワーアセンブリを有することがある。
【０００６】
バーナーアセンブリは、燃焼室内で熱を発生すると共にエミッタアセンブリ及び内側円錐部材を加熱するように構成されている。絶縁体は、内側円錐部材からの熱を再度エミッタアセンブリに向けて戻す。端板は、ヒータの端部から出る熱の損失を規制すると共に、その熱をエミッタアセンブリに向けて戻す。エミッタアセンブリは、熱の実質的な部分を下方向外側に床に向けるように構成され、概ね四角形の熱ゾーンを生じさせる。キャノピーは、側壁か天井に向かう熱を、床にむけてではなく、エミッタアセンブリに向けて戻し、再度その熱が床に向けて戻るようにする。リフレクタパンは、熱を床に向けることを更に助ける。ブロワーアセンブリがヒータに含まれる場合、それはヒータを冷却し、家禽ハウス内の周囲空気を、ヒータを通して方向付け、そして家禽ハウス内の空気を攪拌する。
【発明を実施するための最良の形態】
【０００７】
新規であると信じられる発明の特徴は、以下で詳細に説明される。この発明の構造及び動作の組織及び手法は、その更なる目的及び利点と共に、添付の図面に関連してなされる以下の説明を参照することによって、最も良く理解される。図面では、同様の参照番号は、同様の要素を識別している。
【０００８】
この発明は異なる形の実施形態に受け入れ可能であるが、具体的実施形態が図面に示され、ここで詳細に説明される。本開示は、発明の原理の例示として考えられるべきものであって、この発明をここに図示され説明されたものに限定することを意図されたものではない、と理解されるべきである。
【０００９】
この発明の特徴を組み入れたヒータ１００の第１実施形態は、図３〜９に示されており、この発明の特徴を組み入れたヒータ３００の第２実施形態は、図９〜１２に示されている。
【００１０】
ヒータ１００のアセンブリが先ず論じられる。ヒータ１００は、バーナーアセンブリ１０２を備える。バーナーアセンブリ１０２は、バーナー１０４と、イグナイター１０６と、イグナイター制御器１０８と、接続ワイヤ１１０と、ガス制御器１１２とを有する。バーナー１０４は、対向する端部を持つ真っ直ぐな細長い管状部材であることが好ましい。イグナイター制御器１０８とガス制御器１１２は、バーナー１０４の端部の一方に設けられる。バーナー１０４は、そこを通して設けられたポート（バーナー１０４の対向する端部に点火するクロスオーバポートを含む）１１４を有する。これらポートは、その長さに沿って均一な熱を発生するようにサイズ設定され、配置されている。イグナイター１０６は、イグナイター制御器及びガス制御器１０８，１１２が設けられたバーナー１０４の端部に近い定位置に固定されている（ここで更に詳細に論じられるように）。イグナイター１０６は、接続ワイヤ１１０によってイグナイター制御器１０８に接続され、イグナイター制御器１０８からの信号を受信する。
【００１１】
ヒータ１００はまた、第１及び第２の端板１１６ａ，１１６ｂを備える。端板１１６ａ，１１６ｂは概ね同一であるので、第１の端板１１６ａだけが図７を参照して詳細に説明される。この場合、第２の端板１１６ｂの説明も概ね同一であると理解されるべきである。
【００１２】
第１の端板１１６ａは、内面及び外面１１８ａ，１２０ａを持つ。第１の端板１１６ａはまた、第１の端板１１６ａを、たとえ９０度回転されても概ねＥ字型となる部材に形成する多数のエッジを持つ。第１及び第２のトップエッジ１２２ａ，１２４ａは、互いに下方向外向きに角度を付けて延びている。第１及び第２の外側サイドエッジ１２６ａ，１２８ａは、それぞれトップエッジ１２２ａ，１２４ａの端部から真っ直ぐ下方向に延びている。第１及び第２の下側エッジ１３０ａ，１３２ａは、それぞれ外側サイドエッジ１２６ａ，１２８ａの端部から内向きに延びている。第１及び第２の内側サイドエッジ１３４ａ，１３６ａは、下側エッジ１３０ａ，１３２ａの端部から上方向内向きに角度を付けて延びている。第３及び第４の内側サイドエッジ１３８ａ，１４０ａは、内側サイドエッジ１３４ａ，１３６ａの端部から真っ直ぐ下方向に延びている。第５及び第６の内側サイドエッジ１４２ａ，１４４ａは、内側エッジ１３８ａ，１４０ａの端部から下方向内向きに角度を付けて延びている。第７及び第８の内側サイドエッジ１４６ａ，１４８ａは、内側エッジ１４２ａ，１４４ａの端部から下方向外向きに角度を付けて延びている。第３の下側エッジ１５０ａは、内側サイドエッジ１４６ａ，１４８ａの端部間を真っ直ぐに延びている。
【００１３】
第１の端板１１６ａはまた、そこを通って延びる第１開口１５２ａを持つ。この開口は、第５及び第６の内側サイドエッジ１４２ａ，１４４ａ間の、第５及び第６の内側サイドエッジ１４２ａ，１４４ａが第７及び第８の内側サイドエッジ１４６ａ，１４８ａとそれぞれ一致する場所の付近にある。第１の端板１１６ａは更に、そこを通って延びる第２開口１５４ａを持つ。この開口は、第７及び第８の内側サイドエッジ１４６ａ，１４８ａ間の、第３の下側エッジ１５０ａの上方にある。
【００１４】
バーナー１０４は、その一端において、第２の端板１１６ｂの第１開口１５２ｂ内に固定される。バーナー１０４はまた、第１の端板１１６ａの第１開口１５２ａを通して延び、イグナイター制御器１０８とガス制御器１１２が第１の端板１１６ａの外面１２０ａ付近に設けられるようにする。イグナイター１０６は、第１及び第２の端板１１６ａ，１１６ｂの間に配置される。接続ワイヤ１１０は、第１の端板１１６ａの第２開口１５４ａを通って延び、イグナイター１０６をイグナイター制御器１０８に接続する。
【００１５】
ヒータ１００は、上面及び下面１５８，１６０を持つリフレクタパン１５６を備える。リフレクタパン１５６はまた、リフレクタパン１５６を、たとえ９０度回転されても概ねＣ字型となる部材に形成する多数の一体形成された部分を持つ。第１及び第２の部分１６２，１６４は、互いに上方向外向きに角度を付けて延び、第１及び第２の部分１６２，１６４の接続部は、概ねバーナー１０４の下側に配置される。第１及び第２の部分１６２，１６４のエッジは、第５，第６，第７及び第８の内側サイドエッジ１４２ａ，１４２ｂ；１４４ａ，１４４ｂ；１４６ａ，１４６ｂ；１４８ａ，１４８ｂが相互に接続される場所のほぼ間で、第１及び第２の端板１１６ａ，１１６ｂに固定されることが好ましい。イグナイター１０６は、リフレクタパン１５６の第１の部分１６２を通って延び、そこに固定される。第３及び第４の部分１６６，１６８は、それぞれ第１及び第２の部分１６２，１６４の遊端から下方向外向きに角度を付けて延びている。第３及び第４の部分１６６，１６８のエッジは、第１及び第２の端板１１６ａ，１１６ｂに対し、好ましくは第７及び第８の内側サイドエッジ１４６ａ，１４６ｂ；１４８ａ，１４８ｂ付近で固定されることが好ましい。第５及び第６の部分１７０，１７２は、それぞれ第３及び第４の部分１６６，１６８の遊端から僅かに下方向に角度を付けて延びて、それらの遊端が概ね第１及び第２の端板１１６ａ，１１６ｂの第３の下側エッジ１５０ａ，１５０ｂと概ね面一になるようにする。
【００１６】
ヒータ１００は、上面及び下面１７６，１７８を持つキャノピー１７４を備える。このキャノピー１７４は、概ねその端部が端板１１６ａ，１１６ｂのトップエッジ１２２ａ，１２２ｂ；１２４ａ，１２４ｂ及び外側エッジ１２６ａ，１２６ｂ；１２８ａ，１２８ｂの回りに固定され、かくして端板１１６ａ，１１６ｂの間で、バーナー１０４、イグナイター１０６及びリフレクタパン１５６の上を延びている。フランジ部材１７５は更に、端板１１６ａ，１１６ｂのエッジ１２２ａ，１２２ｂ；１２４ａ，１２４ｂ；１２６ａ，１２６ｂ；１２８ａ，１２８ｂの回りを延びている。かくしてキャノピー１７４は概ねＣ字型構成となる。
【００１７】
ヒータ１００は、内側円錐体１８０を備える。この内側円錐体１８０は、ベース部材１８２と、第１及び第２の脚部材１８４ａ，１８４ｂと、第１及び第２のフランジ部材１８６ａ，１８６ｂとを有する。これらは全て一体的に形成されることが好ましい。ベース部材１８２は、第１の開口１５２ａ，１５２ｂが設けられた場所の概ね直上で第１及び第２の端板１１６ａ，１１６ｂの内面１１８ａ，１１８ｂの間を延びて、それに接触する。第１及び第２の脚部材１８４ａ，１８４ｂは、ベース部材１８２の対向する側部から上方向外向きに（互いに逆方向に）延び、ベース部材１８２と脚部材１８４ａ，１８４ｂが概ねＶ字型構成となるようにすると共に、フランジ１８５ａ，１８５ｂが脚部材１８４ａ，１８４ｂの端部で端板１１６ａ，１１６ｂの内面１１８ａ，１１８ｂに接触して、そこに固定されるようにする。かくして、内側円錐空洞１８７は、概ね端板１１６ａ，１１６ｂ、ベース部材１８２及び脚部材１８４ａ，１８４ｂの間に形成される。第１及び第２のフランジ部材１８６ａ，１８６ｂは、脚部材１８４ａ，１８４ｂの遊端から上方向に延びている。各フランジ部材１８６ａ，１８６ｂは、第１の部分１８８ａ，１８８ｂと、第２の部分１９０ａ，１９０ｂと、第３の部分１９２ａ，１９２ｂとを持つ。第１の部分１８８ａ，１８８ｂは、脚部材１８４ａ，１８４ｂから（互いに逆方向に）延びて、概ねそれと平面的になる。第２の部分１９０ａ，１９０ｂは、第１の部分１８８ａ，１８８ｂの遊端から真っ直ぐ外方向に延びている。第３の部分１９２ａ，１９２ｂは、第２の部分１９０ａ，１９０ｂの遊端から真っ直ぐ下方向に延びている。各フランジ部材１８６ａ，１８６ｂは、好ましくは端板１１６ａ，１１６ｂの各々に、その第２の部分１９０ａ，１９０ｂに沿って固定されることが好ましい。
【００１８】
ヒータ１００は、絶縁体１９４を備える。この絶縁体１９４は、所定の厚さ、例えば１インチの１／２の層をなす材料であって、内側円錐体１８０の一部の上に、即ちベース部材１８２と第１及び第２の脚部１８４ａ，１８４ｂの上に設けられている。絶縁体１９４は、絶縁体に概ね直交して、ベース部材１８２上を、内側円錐空洞の端部で端板１１６ａ，１６６ｂに接して延びるように設けられることが好ましい。
【００１９】
ヒータ１００はまた、第１及び第２のＣ字型フランジ１９６ａ，１９６ｂを備える。各フランジ１９６ａ，１９６ｂは、端板１１６ａ，１６６ｂの各々に、第１の開口１５２ａ，１５２ｂのいずれかの側で固定される。各Ｃ字型フランジ１９６ａ，１９６ｂは、ベース部材１９８ａ，１９８ｂと、このベース部材１９８ａ，１９８ｂの一方の端部から上方向に概ね直交して延びる第１の脚部材２００ａ，２００ｂと、ベース部材１９８ａ，１９８ｂの逆端部から上方向に概ね直交して延びる（第１の脚部材２００ａ，２００ｂと並行ではあるが、それから離れて配置されるように）第２の脚部材２０２ａ，２０２ｂとを有する。この結果、チャネル２０４ａ，２０４ｂがフランジ１９６ａ，１９６ｂによって与えられる。ベース部材１９８ａ，１９８ｂは、端板１１６ａ，１６６ｂの第５及び第６の内側サイドエッジ１４２ａ，１４２ｂ；１４４ａ，１４４ｂと概ね直交している。
【００２０】
ヒータ１００は、第１及び第２のエミッタアセンブリ２０６ａ，２０６ｂを備える。エミッタアセンブリ２０６ａ，２０６ｂは概ね同一であるので、第１エミッタアセンブリ２０６ａだけが図８を参照して詳細に説明される。この場合、第２のエミッタアセンブリ２０６ｂの説明は、概ね同一であると理解されるべきである。
【００２１】
エミッタアセンブリ２０６ａは、１以上の、好ましくは６枚のエミッタ板２０８ａを有する。エミッタ板２０８ａは、各々がステンレス鋼製であることが好ましい。各エミッタ板２０８ａは、概ね矩形構成の概ね平面的なスクリーン部分２１０ａを持つ。スクリーン部分２１０ａの上端では、スクリーン部分２１０ａから外側にスクリーン部分２１０ａに対して傾斜して、トップ部分２１２ａが延びている。スクリーン部分２１０ａの側端では、スクリーン部分２１０ａから外側にスクリーン部分２１０ａに対して傾斜して、第１及び第２の側部分２１４ａ，２１４ｂが延びている。第１及び第２の側部分２１４ａ，２１４ｂは、スクリーン部分２１０ａに直交しているが、互いに平行であって、離されていることが好ましい。エミッタ板２０８ａは隣り合って配置され、この結果エミッタ板２０８ａの全てが互いに平面的になり、且つ１つのエミッタ板２０８ａ上の第１の側部分２１４ａが隣接するエミッタ板２０８ａ上の第２の側部分２１６ａと直接接触するようになることが好ましい。スクリーン部分２１０ａは穿孔され、その結果複数の小さな開口又は貫通孔２１８ａがスクリーン部分２１０ａを通して設けられることが好ましい。エミッタ板２０８ａの各々は、その下端がフランジ部材１９６ａのチャネル２０４ａ内に座し且つフランジ部材１９６ａのベース部材１９８ａに接して配置されるように位置決めされている。エミッタ板２０８ａの各々はまた、そのトップ部分２１２ａが内側円錐体１８０のフランジ部材１８６ａの第３の部分１９２ａに接触し、更にエミッタ板２０８ａを定位置に保持するように位置決めされている。各エミッタアセンブリ２０６ａ，２０６ｂは、端板１１６ａ，１６６ｂの双方に接触することが好ましい。かくして、各エミッタ板２０８ａは、本質的に平坦（スクリーン部分２１０ａ）であり、周辺にはエッジ（トップ、第１の側部分及び第２の側部分２１２ａ，２１４ａ，２１６ａ）が形成されている。
【００２２】
ヒータ１００は、燃焼室２２０を備える。この燃焼室は、内側円錐体１８０と、各エミッタアセンブリ２０６ａ，２０６ｂと、バーナー１０４と、イグナイター１０６との間で規定される。燃焼室２２０は、その上部が、エミッタ板２０８ａ，２０８ｂのトップ部分２１２ａ，２１２ｂと内側円錐体１８０のフランジ部材１８６ａ，１８６ｂの第３の部分１９２ａ，１９２ｂとの接触によって閉鎖されている。燃焼室２２０は、その端部が、端板１１６ａ，１６６ｂによって閉鎖されている。
【００２３】
ヒータ１００は、第１の端板１１６ａの外面１２０ａに固定された熱シールド２２２を備える。この熱シールド２２２は、イグナイター制御器及びガス制御器１０８，１１２と接続ワイヤ１１０の少なくとも一部分を囲んで保護する。
【００２４】
ヒータ１００は、第１、第２、第３及び第４のデフレクター２２４ａ，２２４ｂ，２２４ｃ，２２４ｄを更に備える。第１及び第２のデフレクター２２４ａ，２２４ｂは、第１の端板１１６ａの外面１２０ａから外方向に延び、また第３及び第４のデフレクター２２４ｃ，２２４ｄは、第２の端板１１６ｂの外面１２０ｂから外方向に延びている。第１及び第３のデフレクター２２４ａ，２２４ｃは、概ね同一であるので、第３のデフレクター２２４ｃだけが図４を参照して詳細に説明される。この場合、第１のデフレクター２２４ａの説明は概ね同一であると理解されるべきである。第２及び第４のデフレクター２２４ｂ，２２４ｄは、概ね第１及び第３のデフレクター２２４ａ，２２４ｃの鏡像であって、それ故ここでは説明されない、と理解されるべきである。
【００２５】
第３のデフレクター２２４ｃは、第２の端板１１６ｂから外方向に延び、そして第２の端板１１６ｂに（適切な手法で）固定されている。第３のデフレクター２２４ｃは、上側平面部分２２６ｃを持つ。この部分は、第２の端板１１６ｂから外方向に、概ね第１の外側サイドエッジ１２６ａに近接した位置と第３の内側サイドエッジ１３８ａの概ね上方の位置との間を、第５の内側サイドエッジ１４２ａとの接続部に近接して延びている。第３のデフレクター２２４ｃは、第１のタブ部分２２８ｃを有する。この部分は、上側平面部分２２６ｃの一方の側部から下方向に延び、且つ第１の外側サイドエッジ１２６ａに近接した位置から外方向に延びている。第３のデフレクター２２４ｃは、第２のタブ部分２３０ｃを有する。この部分は、上側平面部分２２６ｃの逆の側部から下方向に延び、且つ第５の内側サイドエッジ１４２ａに沿った位置から外方向に延びている。第３のデフレクター２２４ｃは、第３のタブ部分２３２ｃを有する。この部分は、上側平面部分２２６ｃの遊端から下方向に、概ね第１及び第２のタブ部分２２８ｃ，２３０ｃの間を延びている。第１のタブ部分２２８ｃは、必要であれば、そこを通って設けられた開口２３４ｃを持つことができる。
【００２６】
以下、ヒータ１００の動作が論じられる。床２４５及び側壁２４７を有する家禽ハウス２４０内で熱が必要とされるとき、イグナイター制御器１０８はガス制御器１１２をオンにして、煙道ガスがバーナー１１４から放出されて燃焼室２２０内に導入されるようにする。イグナイター制御器１０８は更に、イグナイター１０６をスパークさせて、燃焼室２２０内で火炎を発生させる。この燃焼室は、概ね楔形状で、完全燃焼に必要なサイズである。点火後に、イグナイター制御器１０８は、火炎をモニタし、そして火炎が失われた場合には煙道ガスを遮断する。
【００２７】
本来自然に熱を発生してエミッタアセンブリ２０６ａ，２０６ｂを加熱する火炎は、煙道ガスが更に燃焼室２２０内で燃焼して、より多くの熱を燃焼室２２０内で発生するようにする（ここで留意されるべきことは、ヒータ１００が単方向性ヒータであって、ここで説明されるヒータ１００の基本的に半分であり、それ故クロスオーバーポートはバーナー１０４から取り除かれて、単一のエミッタアセンブリ２０６ａだけが火炎によって加熱されることになる、という点である）。発生された熱は、更にエミッタアセンブリ２０６ａ，２０６ｂを加熱する。そして、エミッタアセンブリ２０６ａ，２０６ｂは、熱をヒータ１００から外方向下向きに家禽ハウス２４０の床２４５に向けるために、上述したように構成され配置されている。キャノピー１７４は、エミッタアセンブリ２０６ａ，２０６ｂを更に加熱するために、家禽ハウス２４０の天井又は側壁２４７に向かう熱を反射してエミッタアセンブリ２０６ａ，２０６ｂに戻し、且つ下向きにリフレクタパン１５６に向けるために、上述したように構成され配置されている。キャノピー１７４による熱の再指向は、家禽ハウス２４０の側壁２４７及び天井への放射熱損失を低減すると共に、エミッタアセンブリ２０６ａ，２０６ｂの温度を上昇させ、この結果エミッタアセンブリ２０６ａ，２０６ｂの効率が増加される。リフレクタパン１５６は、放射熱を更に家禽ハウス２４０の床２４５に向けて反射する。燃焼室２２０で起こる加熱はまた、エミッタアセンブリ２０６ａ，２０６ｂの温度を増加するために、内側円錐体１８０を、それがエミッタアセンブリ２０６ａ，２０６ｂに対して放射熱を発する点へ、エミッタアセンブリ２０６ａ，２０６ｂの貫通孔２１８ａ，２１８ｂを通して加熱する。内側円錐体１８０内の絶縁体１９４は、内側円錐体１８０の熱を外側に、エミッタアセンブリ２０６ａ，２０６ｂに向けて且つキャノピー１７４から離れる方向に反射する。
【００２８】
フランジ部材１７５を含むキャノピー１７４は、燃焼ガス及び煙道ガスの流れを制限して、燃焼及び煙道ガスが、端板１１６ａ，１１６ｂの貫通孔２１８ａ，２１８ｂを通して側壁２４７又は天井に逃げるのではなく、エミッタアセンブリ２０６ａ，２０６ｂに向けて強制的に戻されるときに、ヒータ１００によって発生される熱の量を規制する。端板１１６ａ，１１６ｂは更に、ヒータ１００の端部から出る熱の流れ並びに燃焼及び煙道ガスを規制する。ヒータ１００の端部にあるデフレクター２２４ａ，２２４ｂ，２２４ｃ，２２４ｄは、燃焼及び／又は煙道ガスを、それらがヒータ１００から出るときに分散して希釈し、更に放射熱を床２４５に向けて反射することを助ける。このようにデフレクター２２４ａ，２２４ｂ，２２４ｃ，２２４ｄを設けると、動作中にヒータ１００の上方に必要とされるクリアランスの量を減少させる。
【００２９】
放射熱をエミッタアセンブリ２０６ａ，２０６ｂ、キャノピー１７４及びリフレクタパン１５６によって床２４５に方向付けることで、床２４５上に概ね四角形構成の快適ゾーン２８５が生じる。図９に描かれているように（ヒータ１００によって図示されているが、ヒータ１００は床２４５上方の所定位置に配置されている、と理解されるべきである）、ヒータ１００によって生じた四角形の快適ゾーン２８５（左側に図示されている）は、図１及び２に示された既知の従来技術のヒータ５０，５５，６０，６５によって生じた快適ゾーン２８５よりも大きい。四角形の快適ゾーン２８５はまた、家禽及び他の家畜に対する加熱要求に見られるエリア及び／又は檻の形状に緊密に一致する。かくして、ヒータ１００によって生じた四角形の快適ゾーン２８５はまた、図１及び２に示された既知の従来技術のヒータ５０，５５，６０，６５によって生じた高温エリア７０と第１及び第２の低温エリア７５，８０と比べて、より小さな又は縮小された高温エリア２７０と、より小さな又は縮小された第１及び第２の低温エリア２７５，２８０を、図９に描かれているように生成する。発生された放射熱のほぼ全てを床２４５に集中することによって、側壁２４７及び天井で失われる放射熱は少なくなり、かくして床２４５上で必要とされる熱の量を増加する。
【００３０】
ヒータ１００によって生じた大きな快適ゾーン２８５は、燃料効率を増加させる。何故ならば、高温エリア２７０における過剰な熱は、そのエリアから鳥達を遠ざけようとすると共に、その熱が空気中に失われて、鳥達の加熱には使用されないからである。かくして、高温エリア２７０の量又はサイズを、ヒータ１００がしているように、低減することが望ましい。
【００３１】
また、第１及び第２の低温エリア２７５，２８０の量又はサイズを、ヒータ１００がしているように、低減することが望ましい。これは、低温エリア２７５，２８０によって、鳥達が一緒に群がって暖を維持するようにさせるからであり、そのようなものとして、鳥達が給餌及び給水ラインに近づこうとせず、このことが体重増加及び餌転換に影響を与えるからである。
【００３２】
より小さな又はより大きな快適ゾーン２８５が必要とされる場合、必要であれば、リフレクタパン１５６は、固定構成とされるか、あるいは調整可能とされる。同様に、より小さな又はより大きな快適ゾーン２８５が必要とされる場合、必要であれば、キャノピー１７４は、固定構成とされるか、あるいは調整可能な端部を持つことができる。
【００３３】
ヒータ１００は、好ましくは（一般に知られた構造の）ウインチケーブルアセンブリ２９０によって、家禽ハウス２４０内の天井又はトラスに懸架される。この結果、ヒータ１００は、非使用時にはウインチで天井へ巻き上げられるか、周期的な清掃及び保守のために低下させられる。このようなヒータ１００の懸架は、より多くの設備用クリアランスを与えると共に、より容易な保守用アクセスを可能にする。
【００３４】
図９〜１２及びヒータ３００の第２の実施形態に注目される。このヒータ３００は、以下で説明される点を除けばヒータ１００と同一である。従って、ヒータ３００の完全な説明は与えられない。この場合、ヒータ３００の適切な説明はヒータ１００を参照して与えられる、と理解されるべきである。
【００３５】
初めに、ヒータ３００は、ヒータ１００で描かれたようなピークのある上部ではなく、平坦な上部を持つように描かれている。ヒータ１００，３００は、（図１０及び１１に描かれているように）平坦な上部か（図３〜６に描かれているように）ピークのある上部のいずれかを持つものと理解されるべきである。ヒータ３００は、第１の開口１５２ａ，１５２ｂが設けられた場所の上方に、端板１１６ａ，１１６ｂを通して設けられた第３の開口３５５ａ，３５５ｂを有する。第３の開口３５５ａ，３５５ｂは、ブロワーアセンブリ又は攪拌ファン３７０がヒータ３００中に組み込まれることを可能にするために設けられる。
【００３６】
ブロワーアセンブリ３７０は、ブロワー又は循環ファン３７２と、内側チューブ３７４と、外側チューブ３７６とを有する。内側チューブ３７４は、内側円錐空洞１８７内を、第１の端板１１６ａの第３の開口３５５ａから第２の端板１１６ｂの第３の開口３５５ｂに向かって延びているが、第３の開口３５５ｂまでの全行程を延びていないことが好ましい。外側チューブ３７６は、内側円錐空洞１８７内を、第２の端板１１６ｂの第３の開口３５５ｂから第１の端板１１６ａの第３の開口３５５ａに向かって延びているが、第３の開口３５５ａまでの全行程を延びていないことが好ましい。外側チューブ３７６は、内側チューブ３７４の長さの一部分だけの長さを持つことが好ましい。外側チューブ３７６は、内側チューブ３７４の外径よりも大きな内径を持ち、この結果内側チューブ３７４の少なくとも一部分が外側チューブ３７６内に配置されるか、突出するようにする。ブロワー３７２は、内側チューブ３７４と連通していて、内側円錐空洞１８７外で第１の端板１１６ａに固定されている。例えば、第１の端板１１６ａの外面１２０ａから外側に且つバーナー１０４の上方に延びている。
【００３７】
動作時に、ヒータ３００は、ヒータ１００と同一手法で動作するが、ブロワーアセンブリ３７０は、起動されると、多数の有利な活動をなす。例えば、家禽ハウス内の周囲空気を内側及び外側チューブ３７４，３７６を通して方向付ける。また、ベンチュリー効果によって、燃焼及び煙道ガスを内側円錐空洞１８７から外側チューブ３７６中へ、またヒータ３００の端部から外へ引く抜く。更に、家禽ハウス内の空気を攪拌する。これらの活動は有利である。何故ならば、それらは集中的にヒータ３００を冷却し、家禽ハウス内で空気が循環することを助けて、ヒータ３００からの対流熱及び床から立ち登る対流熱を最小化又は減少し、更に最小対流空気と加熱空気との混合を伴う分配を補助する。ブロワーアセンブリ３７０がキャノピー１７４の上部を超えて空気を移動させる能力を備えている場合は、ヒータ３００によって、燃焼可能な材料に対するクリアランスもまた低減される。この結果、ヒータ３００上方の温度も低下させられる。
【００３８】
本発明の好ましい実施形態が図示され説明されたが、当業者は、前述の説明及び添付された請求の範囲の精神及び範囲を逸脱することなく、種々の変形を工夫することが予測される。
【図面の簡単な説明】
【００３９】
【図１】家禽ハウスの床と従来技術のパンケーキ及び放射育雛器により床上に生成された異なる熱のゾーンの上面図を示す。
【図２】家禽ハウスの床と従来技術のセラミック育雛器及びチューブヒータにより床上に生成された異なる熱のゾーンの上面図を示す。
【図３】この発明の第１実施形態の特徴を組み入れたヒータの斜視図である。
【図４】この発明の第１実施形態の特徴を組み入れたヒータの斜視図である。
【図５】図３及び４のヒータの、端板の一方及びある程度の絶縁体が取り除かれた斜視図である。
【図６】図３及び４のヒータの、端板の一方及びある程度の絶縁体が取り除かれた側面図である。
【図７】第１実施形態のヒータを形成することに使用された端板の一方の側面図である。
【図８】第１実施形態のヒータを形成することに使用されたエミッタアセンブリの一方の側面図である。
【図９】家禽ハウスの床と本発明のヒータにより床上に生成された異なる熱のゾーンの上面図を示す。
【図１０】この発明の第２実施形態の特徴を組み入れたヒータの斜視図である。
【図１１】この発明の第２実施形態の特徴を組み入れたヒータの斜視図である。
【図１２】第２実施形態のヒータを形成することに使用された端板の一方の側面図である。
【符号の説明】
【００４０】
１００・・・ヒータ
１０２・・・バーナーアセンブリ
１０４・・・バーナー
１１６ａ，１１６ｂ・・・第１及び第２の端板
１８０・・・内側円錐体
１８７・・・内側円錐空洞
２０６・・・エミッタアセンブリ
【図１】
2009528506.tif 000003
【図２】
2009528506.tif 000004
【図３】
2009528506.tif 000005
【図４】
2009528506.tif 000006
【図５】
2009528506.tif 000007
【図６】
2009528506.tif 000008
【図７】
2009528506.tif 000009
【図８】
2009528506.tif 000010
【図９】
2009528506.tif 000011
【図１０】
2009528506.tif 000012
【図１１】
2009528506.tif 000013
【図１２】
2009528506.tif 000014
【国際調査報告】
2009528506.tif 000015